(57)【特許請求の範囲】
【請求項１】
カートン内に複数のれんが型平行六面体の容器を配置できるような該カートンであって、該カートンは、
開口両端と、
底板と、
該開口両端の間に配置される第一横壁板と第二横壁板と、
頂部ディスペンサーであって、該頂部ディスペンサーは、該頂部ディスペンサーと該第一横壁板との間に位置する第一引裂き線と、該頂部ディスペンサーと該第二横壁板との間に位置する第二引裂き線とにより少なくとも部分的に画定され、該頂部ディスペンサーは該カートンの頂部全体をほぼ横切るように延在する該頂部ディスペンサーとを備え、
該頂部ディスペンサーは、開かれた際に、ガセットが該開口両端とほぼ平行に該開口両端を跨いで該第一横壁板と該第二横壁板とを結合し、該第一横壁板と該第二横壁板を互いに固定し、
該ガセットは、該頂部ディスペンサーに隣接して配置され、該第一横壁板と該第二横壁板とを相互に接続可能であって、
少なくとも一つのガセットが該容器の少なくとも一つの端部と係合することを特徴とするカートン。
【請求項２】
請求項１に記載のカートンであって、底板は２つの重なり合うフラップから成り、これらフラップは一次及び二次ロックにより互いに係止されることを特徴とするカートン。
【請求項３】
請求項１に記載のカートンであって、底板は２つの重なり合うフラップから成り、これらフラップは接着剤により互いに保持されることを特徴とするカートン。
【請求項４】
複数の容器を内包できるカートンであって、
開口両端と、
底板と、
該開口両端の間に配置される第一横壁板と第二横壁板と、
頂部ディスペンサーであって、該頂部ディスペンサーは、該頂部ディスペンサーと該第一横壁板との間に位置する第一引裂き線と、該頂部ディスペンサーと該第二横壁板との間に位置する第二引裂き線とにより少なくとも部分的に画定され、該頂部ディスペンサーとを備え、
該頂部ディスペンサーは、開放された際に、ガセットが該開口両端とほぼ平行に該開口両端を跨いで該第一横壁板と該第二横壁板とを結合し、該第一横壁板と該第二横壁板を互いに固定し、
該ガセットは、該頂部ディスペンサーと底部ディスペンサーとの間のほぼ中央で該開口両端を跨ぎ、折り込み可能に差込ガセットと横ガセットとに相互に接続して、カートンの内側に折り込まれる差込みガセットと横ガセットとによって定位置に保持され、該頂部ディスペンサーが閉じた際には該容器によって定位置に保持されることを特徴とするカートン。
【請求項５】
請求項１から４に記載のカートンであって、該頂部ディスペンサーは、該第一引裂き線で折込み可能に該第一横壁板に結合されていることを特徴とするカートン。
【請求項６】
請求項４に記載のカートンであって、該底板は、２つの重合わせフラップを備え、該２つの重合わせフラップは一次ロックおよび二次ロックによって共に係止され、該頂部ディスペンサーは、該カートンの頂部全体をほぼ横切るように延在していることを特徴とするカートン。
【請求項７】
請求項４に記載のカートンであって、該底板は、２つの重合わせフラップを備え、該２つの重合わせフラップは接着剤によって保持され、該頂部ディスペンサーは、該カートンの頂部全体をほぼ横切るように延在していることを特徴とするカートン。
【請求項８】
カートン内に複数のれんが型平行六面体の容器を配置できるような該カートンであって、該カートンは、
第一開口端と第二開口端と、
底板と、
該第一開口端と該第二開口端の間に配置される第一横壁板と第二横壁板と、
ディスペンサーフラップであって、該ディスペンサーフラップは、該ディスペンサーフラップと該第一横壁板との間に位置する第一引裂き線と、該ディスペンサーフラップと該第二横壁板との間に位置する第二引裂き線とにより少なくとも部分的に画定され、該ディスペンサーフラップは該カートンの頂部全体をほぼ横切るように延在する該ディスペンサーフラップと、
該ディスペンサーフラップと該第一開口端にほぼ平行に隣接し、該第一開口端を跨いで該第一横壁板と該第二横壁板とを結合する第一頂部ガセットと、
該ディスペンサーフラップと該第二開口端にほぼ平行に隣接し、該第二開口端を跨いで該第一横壁板と該第二横壁板とを結合する第二頂部ガセットと、
折込み可能に該第一頂部ガセットと結合し、該第一頂部ガセットを該第一横壁板に結合する第一横ガセットと、
折込み可能に該第一頂部ガセットと結合し、該第一頂部ガセットを該第二横壁板に結合する第二横ガセットとを備え、
該第一横ガセットが該容器の少なくとも一つの端部と係合することを特徴とするカートン。
【請求項９】
請求項８に記載のカートンであって、さらに折込み可能に該第二頂部ガセットと結合し、該第二頂部ガセットを該第一横壁板に結合する第三横ガセットとを備えることを特徴とするカートン。
【請求項１０】
請求項８に記載のカートンであって、該ディスペンサーフラップは、第一引裂き線において該第一頂部パネルと折込み可能に結合されていることを特徴とするカートン。
【請求項１１】
請求項１０に記載のカートンであって、該ディスペンサーフラップは、第二引裂き線において該第二頂部パネルと折込み可能に結合されていることを特徴とするカートン。
【請求項１２】
カートン内に複数のれんが型平行六面体の容器を配置できるような該カートンであって、該カートンは、
第一開口端と第二開口端と、
底板と、
該第一開口端と該第二開口端の間に配置される第一横壁板と第二横壁板と、
該第一横壁板と該第二横壁板とに結合されているディスペンサーフラップであって、該ディスペンサーフラップは、該ディスペンサーフラップと該第一横壁板との間に位置する第一引裂き線と、該ディスペンサーフラップと該第二横壁板との間に位置する第二引裂き線とにより少なくとも部分的に画定され、該ディスペンサーフラップは該カートンの頂部全体をほぼ横切るように延在する該ディスペンサーフラップと、
該第一横壁板と該第二横壁板とに結合され、該第一開口端を横切るように延在する折込み可能に結合された複数の第一ガセットであって、該複数の第一ガセットは該ディスペンサーフラップから離間し、該第一開口端とほぼ平行に延在する第一中間ガセットを具備する該複数の第一ガセットと、
該第一横壁板と該第二横壁板とに結合され、該第二開口端を横切るように延在する折込み可能に結合された複数の第二ガセットであって、該複数の第二ガセットは該ディスペンサーフラップから離間し、該第二開口端とほぼ平行に延在する第二中間ガセットを具備する該複数の第二ガセットとを備え、
該第一中間ガセットが該容器の少なくとも一つの端部と係合することを特徴とするカートン。
【請求項１３】
請求項１２に記載のカートンであって、さらに、該複数の第一ガセットは、
該第一横壁板に折込み可能に結合される第一横ガセットと、
折込可能に該第一横ガセットと結合して重なり、該第一中間ガセットと折込み可能に結合される該第一差込ガセットと、
該第一中間ガセットと折込み可能に結合される該第二差込ガセットと、
該第二差込ガセットと結合して重なる第二横ガセットとを備えるカートン。
【請求項１４】
カートン生地板であって、
第一横壁板と、
カートン生地板の幅に沿って画定される少なくとも一の引裂き線とにより少なくとも部分的に画定されるディスペンサーフラップであって、該ディスペンサーフラップは折込可能に該第一横板に結合されるディスペンサーフラップと、
該第一横壁板と反対側のディスペンサーフラップに折込み可能に結合される第二横壁板と、
該第一横壁板および該第二横壁板の少なくとも一つと折込み可能に結合される少なくとも一つの底部フラップと、
生地板の長さに沿って延在し、該第一横壁板および該第二横壁板に結合している複数の第一のガセットであって、該複数の第一のガセットは、該第一横板に折込み可能に結合される第一横ガセットと、該ディスペンサーフラップと隣接し、該第一横ガセットに折込み可能に結合される第一頂部ガセットと、該第二横ガセットとに折り込み可能に結合されて該第一頂部ガセットに折込み可能に結合される第二横ガセットとを具備する該複数の第一のガセットと、
を備える該カートン生地板であって、
該ディスペンサーフラップと該第一横パネルとの間に位置し、該生地板の幅に沿って延在する第一引裂き線と、
該ディスペンサーフラップと該第二横パネルとの間に位置し、該生地板の幅に沿って延在する第二引裂き線であって、該ディスペンサーフラップはほぼ全幅を横切って延在し、該ディスペンサーフラップは切り取り線により該第一頂部ガセットから分離する第二引裂き線とを備えることを特徴とするカートン生地板。
【請求項１５】
請求項１４に記載のカートン生地板であって、第一横壁板および第二横壁板とに結合する複数の第二ガセットを備え、該複数の第二ガセットは、
折込み可能に該第一横壁板に結合される第三横ガセットと、
該ディスペンサーフラップと隣接して、折込み可能に該第三横ガセットに結合される第二頂部ガセットと、
該第二頂部ガセットと折込み可能に結合され、該第二横パネルと折込み可能に結合される第四横ガセットとを備えるカートン生地板。
【請求項１６】
請求項１４に記載のカートン生地板であって、
第一横ガセット内で、該第一横壁板と該ディスペンサーフラップとに近接する第一開口と、
第一横ガセット内で、該第一開口から離れて延在する折込み線とを備えるカートン生地板。
【請求項１７】
請求項１５に記載のカートン生地板であって、
該複数の第一ガセットは該第一横壁板の第一端部に折り込み可能に取りつけられ、該複数の第二ガセットは該第一横壁板の第二端部に折り込み可能に取りつけられるカートン生地板。
【請求項１８】
カートン生地板であって、
第一横壁板と、
カートン生地板の幅に沿って画定される少なくとも一の引裂き線とにより少なくとも部分的に画定されるディスペンサーフラップであって、該ディスペンサーフラップは折込可能に該第一横板に結合されるディスペンサーフラップと、
該第一横壁板と反対側のディスペンサーフラップに折込み可能に結合される第二横壁板と、
該第一横壁板および該第二横壁板の少なくとも一つと折込み可能に結合される少なくとも一つの底部フラップと、
生地板の長さに沿って延在し、該第一横壁板および該第二横壁板に結合している複数の第一のガセットであって、該複数の第一のガセットは、該第一横板に折込み可能に結合される第一横ガセットと、該第一横壁板と隣接し、該第一横ガセットと折込み可能に結合される第一差込ガセットと、該ディスペンサーフラップと隣接し、該第一差込ガセットに折込み可能に結合される第一頂部ガセットと、該第二横壁板と隣接し、該第一頂部ガセットに折込み可能に結合される第二差込ガセットと、該第二横ガセットとに折り込み可能に結合されて該第一差込ガセットに折込み可能に結合される第二横ガセットとを具備する該複数の第一のガセットと、
を備える該カートン生地板であって、
該ディスペンサーフラップと該第一横パネルとの間に位置し、該生地板の幅に沿って延在する第一引裂き線と、
該ディスペンサーフラップと該第二横パネルとの間に位置し、該生地板の幅に沿って延在する第二引裂き線であって、該ディスペンサーフラップはほぼ全幅を横切って延在し、該ディスペンサーフラップは切り取り線により該第一頂部ガセットから分離する第二引裂き線とを備えることを特徴とするカートン生地板。
【請求項１９】
請求項１８に記載のカートン生地板であって、該第一横壁板および該第二横壁板と結合する複数の第二のガセットとを備えるカートン生地板。
【発明の詳細な説明】
【技術分野】
【０００１】
本発明は概して、頂部にディスペンサーを備えて容器を取り外すが、カートンに箱（パッケージ）としての原形を維持させることができる、テトラパック（登録商標）などのれんが型容器（Brick-shaped containers）のためのカートンに関する。
【背景技術】
【０００２】
板紙とプラスチックとの複合材料から作られて飲料を収容するれんが型容器が近年普及している。こうした容器の好評ブランドの１つはテトラパック（登録商標）である。れんが型容器は製品と共に時には単一の包装として売られている。多くのこれらの容器はプラスチックの覆いにより一緒に包装できる。プラスチックの覆いは開梱時に破り捨てられる。
【発明の開示】
【発明が解決しようとする課題】
【０００３】
板紙のカートンは、これられんが型容器の収納に使用できるが、これらはまたこれらを開梱し１以上の容器を取り外す際に箱としては無効になる。望ましくは、破開して１以上の容器を取り外すことができてなお、未取外し容器の箱として機能する箱を得ることであろう。
【課題を解決するための手段】
【０００４】
本発明の目的は、れんが型容器を収納するカートンのディスペンサー（dispenser）であって、カートンの、未取外し容器を収納する効用を破壊することなく、１以上の容器の取外しを可能にするディスペンサーを提供することにある。
【０００５】
本発明のその目的は、頂部壁板から引きちぎることのできるディスペンサーに叶うカートンであって、カートンの頂部あるいは中程にガセット(gusset)を備えて、ディスペンサーを破開する際２つの横壁板を互いに保持するカートンを提供することで達成される。このカートンは１以上の容器の取外しを可能にするが、なお未取外し容器を収納するカートンとしても機能する。頂部あるいは中間のガセットはカートンの横壁板を互いに保持し、頂部ディスペンサーのフラップを除去した後も堅固な箱を形成する。頂部のガセットは折り線を介し各側部の横ガセットにより２つの横壁板に簡単に取り付けられる。中間のガセットは差込みガセットにより取り付けられ、差込みガセットは、各横壁板の中程に取り付けられた横ガセットに取り付けられる。これにより中間ガセットはカートンの端壁部にその真ん中辺りで架け渡すことができる。
【０００６】
本発明のカートンは底フラップの係止（lock）あるいは接着（glue）のどちらかにより共に保持することができる。
【発明を実施するための最良の形態】
【０００７】
本発明は本来的に、各種飲料を収容するテトラパック（登録商標）などのれんが型容器との使用を意図している。れんが型容器は板紙とプラスチックとの複合材料で構成され、冷凍を伴わずに長い在庫寿命を持つように設計されている。
【０００８】
本発明のカートンを構成する生地板は図１に示してある。この生地板１０は、１０個のれんが型容器Ｃを５個づつ２列により収納するようにされている。生地板１０は板紙などの折込み可能なシート材から成る。生地板１０は底フラップ１２を備え、これは折り線１６を介して折り込み可能に横壁板１４に接続し、順に折り線２０を介して頂部壁板１８に接続する。頂部壁板１８は折り線２４を介して横壁板２２に接続し、横壁板２２は折り線２８を介して底フラップ２６に接続する。ディスペンサーフラップ３０は頂部壁板１８のほぼ全体を占める。ディスペンサーフラップ３０は引裂き線３２に沿ってカートンから引きちぎることができ、カートンの頂部にディスペンサーを形成する。
【０００９】
諒解すべきは底フラップ１２及び２６は互いに接着できることである。一方、この実施形態では、一次係止方式と二次係止方式との両方を含んだ係止方式（locking system）を用いる。一次係止方式は、底フラップ２６の折り線３６に沿って形成された一次的雄ロック３４Ａ−Ｄと底フラップ１２の一次的雌の開口３８Ａ−Ｄとの間の係止的構成である。一次雄ロック３４Ａ−Ｄはカートンの係止により一次雌縁部４０Ａ−Ｄに引っ掛けられる。容器を中心にしてカートンをしっかりと締めることは重要であるから、一次雌開口３８Ａ−Ｄはまた係止用開口としての働きもなし、これにより、形成の間、機械的な締付指部（mechanical tightening fingers）が進入してカートンを締め付けることができる。
【００１０】
一次ロックはフラップを介してカートンの端部を互いに接続し、二次ロックは係合したフラップを適所に保持する機能をなして「バックアップ」係止装置を提供し、一次ロックの離脱を防ぐ。
【００１１】
二次係止方式は底フラップ２６の延長部として形成される二次雄ロック４２Ａ−Ｄから成る。二次雌開口４４Ａ−Ｄは、二次雄ロック４２Ａ−Ｄが各二次雌開口４４Ａ−Ｄに挿入されると、これらを固定する。
【００１２】
注目は、各対の一次及び二次のロックが長手方向に、すなわち生地板の長さに整列することである。このカートンは、一次と二次の両方のロックがあるために一層確かな係止方式を提供する。一次ロックがカートンの端部を互いに接続するのに対して、二次ロックは一次ロックの係合状態を保持する。
【００１３】
本発明のカートンは、カートンの一方の端部に架け渡される頂部ガセット４６を備えている。頂部ガセット４６は折り線４８を介して頂部壁板１８に接続し、さらに折り線２４を介して横ガセット５０に、また折り線２０を介して横ガセット５２に接続する。横ガセット５０及び５２は頂部ガセット４６をカートンの頂端部を横切る適正な位置に保持する働きをする。折り線５４は各横ガセット５０及び５２に設けられて、ガセットの適正な位置への折込みを容易にすることができる。折込みを容易にするために開口５６を設けることができる。カートンの他端部も同様に、折り線６０を介して頂部壁板１８に接続する頂部ガセット５８を備える。ガセット５８はそれぞれ折り線２０及び２４を介して横ガセット６２及び６４に接続する。
【００１４】
本発明のカートンは、頂部壁板をディスペンサーフラップ３０と共に容器Ｃの上に移動させることにより図１の生地板から形成される。生地板１０は容器Ｃを中心にしてぴんと引き伸ばすことができ、底フラップ１２と底フラップ２６とが底フラップ２６を外側にして重ね合わされる。一次雄ロック３４Ａ−Ｄは一次雌開口３８Ａ−Ｄの内側に打ち抜かれ、一次雌縁部４０Ａ−Ｄに固定される。二次雄ロック４２Ａ−Ｄは二次雌開口３８Ａ−Ｄの内側に押し付けられる。
【００１５】
横壁板１４及び２２を下方に折り込む過程で、横ガセット５０、５２、６２及び６４を頂部ガセット４６及び５８と共に内側に折り込み、頂部ガセット４６及び５８が横壁板１４及び１２の間のカートンの端部を頂部のところで跨るようにする。
【００１６】
容器を積載したカートンは図２に示してある。このカートンは引裂き線３２を破開してディスペンサーフラップ３０を取り外すことで開梱できる。容器Ｃ入りの開梱したカートンは図６に示してある。ほぼ全部の頂部壁板が取り外されても、カートンは頂部ガセット４６及び５８、並びにカートンの各端部の横ガセット５０、５２、６０及び６４により互いに保持されるから、取り外されていない容器のために箱を提供する。
【００１７】
本実施形態の一次及び二次の係止方式は図３に図示され、ここで係止したカートンの底部が示してある。
【００１８】
中間ガセット付きのカートンを形成する生地板は図４に示してある。この生地板１１０は底フラップ１１２を備え、これは折り線１１６を介して横壁板１１４に接続する。横壁板１１４は引裂き線１２２に沿って、頂部全体を包含するディスペンサーフラップ１２０に接続し、ディスペンサーフラップ１２０は順に引裂き線１２６を介して対向する横壁板１２４に接続する。横壁板１２４は折り線１３０を介して底フラップ１２８に接続する。このカートンは図１に示したと同じ係止方式を有する。これは底フラップ１２８に形成した一次雄ロック１３２Ａ−Ｄの一次係止方式と、底フラップ１１２に形成した一次雌開口１３４Ａ−Ｄとを有している。二次雄ロック１３８Ａ−Ｄは底フラップ１２８の延長部であり、底フラップ１１２の二次雌開口１４０Ａ−Ｄ中に係止される。これらの係止方式は図１に関して述べた係止方式と同じように機能する。
【００１９】
図４に示した生地板１１０はカートンの一方の端部に中間ガセット１４２を備え、これは折り線１４６を介し差込みガセット１４４に折り込み可能に取り付けられる。差込みガセット１４４は折り線１５０を介して横ガセット１４８に接続し、横ガセット１４８は順に折り線１５２を介して横壁板１１４に接続する。中間ガセット１４２は折り線１５６を介して差込みガセット１５４に接続し、差込みガセット１５４は順に折り線１６０を介して横ガセット１５８に接続し、横ガセット１５８は今度は折り線１６２を介して横壁板１２４に接続する。カートンの他端の中間ガセット１６４は折り線１６８を介して差込みガセット１６６に接続し、挿し込みガセット１６６は順に折り線１７２を介して横ガセット１７０に接続し、横ガセット１７０は今度は折り線１７４を介して横壁板１２４に接続する。中間ガセット１６４は折り線１７８を介して差込みガセット１７６に接続し、差込みガセット１７６は今度は折り線１８２を介して横ガセット１８０に接続し、そして順に折り線１８４を介して横壁板１１４に接続する。ディスペンサーフラップ１２０は、カートンの各端部のどちらかの引裂き耳１８６を引っ張ることで取り外すことができる。中間ガセット１４２及び１６４はそれぞれ切込み線１９０、１８８でディスペンサーフラップ１２０から仕切ることができる。
【００２０】
このカートンは、図１に示した生地板からカートンを形成したと同じ方法により容器を中にして形成され、かつ係止される。図４に示した生地板から作ったカートンは図５に示してある。
【００２１】
一方、この実施形態の中間ガセット１４２及び１６４は、カートンの端部にその中心近くで架け渡される。差込みガセット１４４、１５４、１６６、１７６と横ガセット１４８、１５８、１７０、１８０とはこのカートンを組み立てる過程で内方に折り込まれ、これらが横壁板１２４及び１１４の内側と中の容器との間で休止するようにされる。これにより中間ガセット１４２及び１６４はカートンの端部でしっかりと保持され、ディスペンサーフラップ１２０を除去する際に容器が抜け落ちることはない。
【００２２】
本発明を好ましい形態により開示したが、当業者には明らかなように本発明、及び請求項に記載した本発明の均等物の精神と範囲とから逸脱することなく多くの変形、付加、及び削除がなされ得る。
【００２３】
本発明の特異な特徴
本発明の重要な特異な特徴は、このカートンがディスペンサーを備えてカートンに収納された全容器へ容易に手を届かせるものの、容器をカートン内の適所に保持しかつカートンを共に保持する、カートンの各端部に跨がった頂部ガセットまたは中間ガセットの備えを通して容器を保持することにより、カートンの完全な状態を保持することである。
【図面の簡単な説明】
【００２４】
【図１】頂部のディスペンサーと、カートンの各端部に架け渡されて横壁板を互いに接続する頂部ガセットとを備えた、れんが型容器を収納するための生地板の平面図である。
【図２】図１の生地板から得られる、容器を積載したカートンの斜視図である。
【図３】図１の生地板から形成されかつ係止された図２のカートンの底部の斜視図である。
【図４】頂部のディスペンサーと、横壁板を互いに保持するカートンの各端部の中間のガセットとを備えた、れんが型容器収納カートンを形成するための生地板の平面図である。
【図５】図４の生地板から形成され、かつ容器を積載したカートンの斜視図である。
【図６】図２のカートンの、ディスペンサー頂部を除外した頂部の斜視図である。
【符号の説明】
【００２５】
１０    生地板
１２、２６    底フラップ
１４、２２    横壁板
１６、２０、２４、２８、３６、４８、５４、６０    折り線
１８    頂部壁板
３０    ディスペンサーフラップ
３２    引裂き線
３４Ａ−Ｄ    一次雄ロック
３８Ａ−Ｄ    一次雌開口
４０Ａ−Ｄ    一次雌縁部
４２Ａ−Ｄ    二次雄ロック
４４Ａ−Ｄ    二次雌開口
４６、５８    頂部ガセット
５０、５２、６２、６４    横ガセット
５６    開口      
【図１】
0004295785.tif 000002
【図２】
0004295785.tif 000003
【図３】
0004295785.tif 000004
【図４】
0004295785.tif 000005
【図５】
0004295785.tif 000006
【図６】
0004295785.tif 000007